(57)【要約】【課題】２つの異なる接触オプションを与える口金および電球を提供する。【解決手段】電球容器（１）の固定手段（２１）と、少なくとも１つの発光手段へのエネルギー供給に使われる少なくとも２つの第１の電気接触部（３１，３２,３３）を有し電気絶縁材料からなる口金部分（２２）とを備えた口金（２）において、口金部分（２２）は少なくとも２つの第２の電気接触部（４１，４２,４３）を有し、それぞれ１つの第２の電気接触部（４１もしくは４２もしくは４３）は１つの第１の電気接触部（３１もしくは３２もしくは３３）に導電接続されている。【選択図】図３
2004221086.tif 000002
【特許請求の範囲】
【請求項１】
電球容器（１）の固定手段（２１）と、少なくとも１つの発光手段へのエネルギー供給に使われる少なくとも２つの第１の電気接触部（３１，３２,３３）を有し電気絶縁材料からなる口金部分（２２）とを備えた口金（２）において、
口金部分（２２）は少なくとも２つの第２の電気接触部（４１，４２,４３）を有し、それぞれ１つの第２の電気接触部（４１もしくは４２もしくは４３）は１つの第１の電気接触部（３１もしくは３２もしくは３３）に導電接続されていることを特徴とする口金。
【請求項２】
第２の電気接触部（４１，４２,４３）は機械的にそれぞれの第１の電気接触部（３１，３２,３３）に接続され、第２の電気接触部（４１，４２,４３）はそれぞれの第１の電気接触部（３１，３２,３３）に対して横方向に配置されていることを特徴とする請求項１記載の口金。
【請求項３】
第２の電気接触部（４１，４２,４３）とそれぞれ第２の電気接触部（４１，４２,４３）に接続された第１の電気接触部（３１，３２,３３）とは、単一部材から成る直角に折曲げられた接触片として形成されていることを特徴とする請求項２記載の口金。
【請求項４】
口金部分（２２）は電気絶縁性プラスチックからなることを特徴とする請求項１記載の口金。
【請求項５】
少なくとも１つの電球容器（１）によって包囲されている少なくとも１つの発光手段と、電気絶縁材料からなる口金部分（２２）を有し少なくとも１つの電球容器（１）に固定されている口金（２）とを備え、口金部分（２２）が、少なくとも１つの発光材料に導電接続されている少なくとも２つの電気接触部（３１，３２,３３）を有している電球において、
口金部分（２２）は少なくとも２つの第２の電気接触部（４１，４２,４３）を有し、それぞれ１つの第２の電気接触部（４１もしくは４２もしくは４３）は１つの第１の電気接触部（３１もしくは３２もしくは３３）に導電接続されていることを特徴とする電球。
【請求項６】
第２の電気接触部（４１，４２,４３）は機械的にそれぞれの第１の電気接触部（３１，３２,３３）に接続され、第２の電気接触部（４１，４２,４３）はそれぞれの第１の電気接触部（３１，３２,３３）に対して横方向に配置されていることを特徴とする請求項５記載の電球。
【請求項７】
第２の電気接触部（４１，４２,４３）とそれぞれ第２の電気接触部（４１，４２,４３）に接続された第１の電気接触部（３１，３２,３３）とは、単一部材から成る直角に折曲げられた接触片として形成されていることを特徴とする請求項６記載の電球。
【請求項８】
第１の電気接触部（３１，３２,３３）は電球の縦方向（Ａ−Ａ）に延び、第２の電気接触部（４１，４２,４３）は電球の縦方向（Ａ−Ａ）に対して横方向に延びていることを特徴とする請求項５乃至７の１つに記載の電球。
【請求項９】
口金部分（２２）は電気絶縁性プラスチックからなることが特徴とする請求項５記載の電球。
【発明の詳細な説明】
【技術分野】
【０００１】
本発明は、電球容器の固定手段と、少なくとも１つの発光手段のエネルギー供給に使われる（すなわち少なくとも１つの発光手段に導電接続されている）少なくとも２つの第１の電気接触部を有し電気絶縁材料からなる口金部分とを備えた口金に関する。
【０００２】
また、本発明は、少なくとも１つの電球容器によって包囲されている少なくとも１つの発光手段と、少なくとも１つの電球容器に固定され電気絶縁材料からなる口金部分を有する口金とを備え、口金部分が、少なくとも１つの発光材料に導電接続されている少なくとも２つの電気接触部を有している電球に関する。
【背景技術】
【０００３】
この種の口金および相応の電球は公知である（例えば、特許文献１および特許文献２参照）。
【０００４】
上記特許文献１は口金を備えた自動車前照灯用電球を開示しており、この口金は直角に折曲げられたプラスチック口金部分を有し、このプラスチック口金部分から、接触片として形成された２つの電気接触部が突き出ている。接触片は電球つまり電球容器の縦軸線に対して横方向に延びている。
【０００５】
上記特許文献２は、セラミックスまたはプラスチックからなる電気絶縁性口金インシュレータを有する口金を備え、口金インシュレータからは接触片として形成された２つの電気接触部が突き出ているような自動車前照灯電球を開示している。これらの接触片は電球つまり電球容器の縦軸線の方向に延びている。
【０００６】
上記の両文献は自動車前照灯用電球のために一般に使われている２つの異なる接触方式を開示している。
【特許文献１】国際公開第９７／２５７３３号パンフレット
【特許文献２】独国実用新案第８９０７１０８号明細書
【発明の開示】
【発明が解決しようとする課題】
【０００７】
本発明の課題は、２つの異なる接触オプションを与える口金および電球を提供することにある。
【課題を解決するための手段】
【０００８】
口金に関する課題は、本発明によれば、電球容器の固定手段と、電気絶縁材料からなり少なくとも１つの発光手段へのエネルギー供給に使われる少なくとも２つの第１の電気接触部を有している口金部分とを備えた口金において、口金部分が少なくとも２つの第２の電気接触部を有し、それぞれ１つの第２の電気接触部が１つの第１の電気接触部に導電接続されていることによって解決される。
【０００９】
電球に関する課題は、本発明によれば、少なくとも１つの電球容器によって包囲されている少なくとも１つの発光手段と、電気絶縁材料からなる口金部分を有し少なくとも１つの電球容器に固定されている口金とを備え、口金部分が、少なくとも１つの発光材料に導電接続されている少なくとも２つの電気接触部を有している電球において、口金部分が少なくとも２つの第２の電気接触部を有し、それぞれ１つの第２の電気接触部が１つの第１の電気接触部に導電接続されていることによって解決される。
【００１０】
本発明の特に好ましい実施態様は従属請求項に記載されている。
【００１１】
本発明による口金は、電球容器の固定手段を有し、かつ電気絶縁材料からなる口金部分を有する。この口金部分は少なくとも１つの発光手段へのエネルギー供給に使われる少なくとも２つの第１の電気接触部を備えている。付加的に、この口金部分は少なくとも２つの第２の電気接触部を備え、それぞれ１つの第２の電気接触部は１つの第１の電気接触部に導電接続されている。上述の第２の電気接触部により、電球つまり電球の発光手段のための別の接触オプションが提供される。従って、電球の電気接触のために第１の電気接触部または第２の電気接触部を選択的に使用することができる。
【００１２】
第２の電気接触部はそれぞれ１つの第１の電気接触部に接続され、それぞれの第１の電気接触部に対して横方向（すなわち直角方向）に配置されている。それによって、互いに直角方向にある２つの接触面が提供され、電球の電気接触のためにこの２つの接触面を選択的に使用できる。本発明の特に有利な実施態様によれば、第２の電気接触部とそれぞれ第２の電気接触部に接続されている第１の電気接触部とは、単一部材から成る直角に折曲げられた接触片として形成されている。それによって、電気接触部は簡単に打抜き金属板部分として形成され、高い機械的安定性を有する。口金部分は好ましくは電気絶縁性および耐熱性プラスチックからなるので、口金部分は、電気接触部を埋設することができる射出成形部品として実施可能である。
【００１３】
本発明による電球は、少なくとも１つの電球容器によって閉じ込められている少なくとも１つの発光手段と、電気絶縁材料からなる口金部分を有し少なくとも１つの電球容器に固定されている口金とを有し、この口金部分が少なくとも１つの発光手段に導電接続されている少なくとも２つの第１の電気接触部を備えている。付加的に、上記の口金部分は少なくとも２つの電気接触部を有し、それぞれ１つの第２の電気接触部は１つの第１の電気接触部に導電接続されている。上記の第２の電気接触部は、電球つまり電球の発光手段のための別の接触オプションを提供する。従って、電球の電気接触のために第１の電気接触部または第２の電気接触部を選択的に使用することができる。
【００１４】
電球の電気接触部は接触片として形成されていることが好ましく、この場合に第１の電気接触部は電球の縦軸線方向に延び、第２の電気接触部は縦軸線に対して横方向に延びている。これによって、電球の電気接触は縦方向にもこれに対して横方向にも可能であるので、本発明による電球は、種々に配置される接続プラグを備えた前照灯内で使用可能である。とりわけ、本発明による電球は、通常は直角に折曲げられた口金を備えた電球を必要とする前照灯内での使用にも適している。
【発明を実施するための最良の形態】
【００１５】
以下において優れた実施例に基づいて本発明を更に詳細に説明する。
図１は本発明の優れた実施例の第１の側面図、
図２は図１に示した実施例を図１に対して９０度回転させて見た第２の側面図、
図３は図１に示した実施例の口金および電気接触部の平面図、
図４は図１に示した電球を背後電気接触式の前照灯内へ組込んだ組込図、
図５は図１に示した電球を側方電気接触式の前照灯内へ組込んだ組込図を示す。
【００１６】
図１に示されている本発明の優れた実施例は、自動車前照灯内で使用されるハロゲン電球である。この電球はほぼ円筒状の透光性ガラス製の電球容器（ガラス球）１を有し、このガラス球１は２つの白熱光を発するコイルフィラメントを包囲し（図示されていない）、口金２内に固定されている。口金２は、ガラス球１の保持および前照灯内への電球組込みに使われる互いに溶接された多数の金属製口金部分２１と、電球の電気接続部を備えたプラスチック部分２２とからなっている。上記電気接続部は、２つの三重接触片３１，３２，３３もしくは４１，４２，４３として形成されており、ガラス球1の中に閉じ込められたコイルフィラメントへのエネルギー供給に使われる、すなわちコイルフィラメントに導電接続されている（図示されていない）。前照灯内の電球の電気接触のために、第１の三重接触片３１，３２，３３または第２の三重接触片４１，４２，４３が使用される。第１の三重接触片３１，３２，３３は電球の縦方向Ａ−Ａに延びており、第２の三重接触片４１，４２，４３は電球の縦軸線Ａ−Ａに対して横方向（すなわち直角方向）に延びている。第１の三重接触片における第１の接触片３１は第２の三重接触片における第１の接触片４１に導電接続されている。図３から分かるように、第１の接触片３１，４１は直角に折り曲げられた形つまりＬ字形の第１の打抜き金属板部分からなり、Ｌ字形の第１の打抜き金属板部分における一方の脚は縦軸線Ａ−Ａの方向に向けられて接触片３１を形成し、Ｌ字形の第１の打抜き金属板部分における他方の脚は縦軸線Ａ−Ａに対して横方向（すなわち直角方向）に配置されて接触片４１を形成している。これと同様に、第２の接触片３２，４２は直角に折り曲げられた形つまりＬ字形の第２の打抜き金属板部分からなり、Ｌ字形の第２の打抜き金属板部分における一方の脚は縦軸線Ａ−Ａの方向に向けられて接触片３２を形成し、Ｌ字形の第２の打抜き金属板部分における他方の脚は縦軸線Ａ−Ａに対して横方向（すなわち直角方向）に配置されて接触片４２を形成している。同様に、第３の接触片３３，４３は直角に折り曲げられた形つまりＬ字形の第３の打抜き金属板部分からなり、Ｌ字形の第３の打抜き金属板部分における一方の脚は縦軸線Ａ−Ａの方向に向けられて接触片３３を形成し、Ｌ字形の第３の打抜き金属板部分における他方の脚は縦軸線Ａ−Ａに対して横方向（すなわち直角方向）に配置されて接触片４３を形成している。
【００１７】
図４および図５には、自動車前照灯内での上記電球の接触方式について２つの異なる可能性が示されている。図４に示された前照灯５は電球の電気接触のために背後に配置されたプラグ７を有する。電球はその金属製口金部分２１により前照灯５における反射器６の頂部開口内に固定されている。プラグ７は電球の電気接触のために接触片３１，３２，３３に差し込まれる。
【００１８】
図５に示された前照灯５’は電球の電気接触のために側方に配置されたプラグ７’を有する。電球はその金属製口金部分２１により前照灯５’における反射器６’の頂部開口内に固定されている。プラグ７’は電球の電気接触のために接触片４１，４２，４３に差し込まれる。
【００１９】
本発明は以上に詳しく説明した実施例に限らず、例えば1つのみの白熱コイルフィラメントとそれにともない２つのみの電気接触片とを有する電球にも適用することができる。この場合、本発明による電球は、２つの三重接触片の替わりに、上述と同じように形成されて配置された２つの接触片対を有する。
【図面の簡単な説明】
【００２０】
【図１】本発明の優れた実施例の第１の側面図
【図２】図１に示した実施例を図１に対して９０度回転させて見た第２の側面図
【図３】図１に示した実施例の口金および電気接触部の平面図
【図４】図１に示した電球を背後電気接触式の前照灯内へ組込んだ組込図
【図５】図１に示した電球を側方電気接触式の前照灯内へ組込んだ組込図
【符号の説明】
【００２１】
１                電球容器、ガラス球
２                口金
２１              金属製口金部分
２２              プラスチック口金部分
３１，３２，３３  接触片
４１，４２，４３  接触片
５，５’          前照灯
６，６’          反射器
７，７’          プラグ
【図１】
2004221086.tif 000003
【図２】
2004221086.tif 000004
【図３】
2004221086.tif 000005
【図４】
2004221086.tif 000006
【図５】
2004221086.tif 000007